(57)【要約】【課題】断熱材の組み込まれた型枠、アンカーボルト、ホールダウン金物、筋交金物による基礎と柱、筋交を結ぶジョイントがばらばらに存在していてそれぞれに手間がかかり、基礎で、蓄熱、断熱をする工夫を実施するのが難しかった。【解決手段】セパレーター、サポート等の役割を果たす部位に、通常別途に組み込まれる鉄筋、アンカーボルト、ホールダウン金物、筋交金物、基礎断熱材を適切に事前組み込みし、施工手間を軽減し、木構造および基礎の強度、基礎の蓄熱および断熱効果を高める基礎型枠支保工【選択図】図１
2014136866.tif 000002
【特許請求の範囲】
【請求項１】
柱、筋交とのジョイント金物と断熱材で構成されているコンクリート型枠のスペーサー兼サポーター。
【発明の詳細な説明】
【技術分野】
【０００１】
基礎型枠支保工
【背景技術】
【０００２】
断熱材の組み込まれた型枠がある。
アンカーボルト、ホールダウン金物、筋交金物による基礎と柱、筋交を結ぶジョイントがある。
【発明の概要】
【発明が解決しようとする課題】
【０００３】
本発明は、基礎型枠支保工でありながら、型枠支保部品であるスペーサー、セパレーター、サポートの役割を果たす部位に、あらかじめ、通常別途に組み込まれる鉄筋、アンカーボルト、ホールダウン金物、筋交金物、基礎断熱材を適切配置で組み込み、施工手間を軽減し、木構造の強度、基礎の強度、そして基礎の蓄熱および断熱効果を高める総合的なシステムとして機能する。
【０００４】
断熱材の組み込まれた型枠はある。しかし、コンクリートの熱容量を建物内で使用する場合、外断熱形式となるが、外部に露出した断熱材がシロアリに食われてしまうことを免れられない。したがって、断熱材の外側をコンクリート等で保護する必要性があった。
【０００５】
アンカーボルト、ホールダウン金物、筋交金物は、基礎と土台および、柱、筋交を結合するものであるが、それぞれに別個の存在で、それぞれに、適切な位置に固定設置する手間がかかった。またアンカーボルトを土台にジョイントし、その土台に筋交金物で筋交を固定するという2段階のジョイント構成であるため、設置精度を上げることが困難で、強度も上げることが難しく、施工具合によりその値にばらつきがあった。
【０００６】
あらかじめ、鉄筋がラダー状に組まれているものは存在するが、型枠内の適切な位置に
固定するためには手間がかかっていた。
【０００７】
基礎型枠を安定して固定するために、各種スペーサー、セパレーター、サポートがそれぞれ別個に組み込む多段階の工程であり、手間がかかっていた。
【課題を解決するための手段】
【０００８】
本発明では、柱、筋交を固定する金物と鉄筋と基礎断熱材と、型枠スペーサー、セパレーターおよびサポートを一体化させたため、型枠を組む一工程で、自動的に型枠内に、それらの構成要素が全て適切な位置に設置固定され、鉄筋組み、金物設置、断熱材設置、型枠スペーサー、セパレーターおよびサポートの設置の全ての段階の手間を軽減する。
【０００９】
本発明では、各種金物が、基礎に強度をもたせるために用いる鉄筋によってあらかじめ結ばれ、その鉄筋の強度によって基礎コンクリート中に応力を流すため、全ての金物の応力伝達が確実になり、アンカーボルトや筋交金物のジョイントの強度を高めることができる。また、これまで、柱や筋交いをジョイントする部材として木造建物で不可欠となってきていた土台が不要となり、その施工手間、材料費が削減される。
【００１０】
本発明では、金物群と連結した基礎断熱材が、基礎コンクリートの中程に位置するようになっているため、断熱材は屋外側がコンクリートで保護されている構成となり、断熱材が、シロアリに食われることがなくなる。  また、屋外に面したコンクリートが、冬期、外気によって冷却されても、金物類や鉄筋には冷熱が伝達しないように断熱材を配置しているため、冷熱が建物内に侵入する事がなく、結露等の問題を発生させない。
【００１１】
本発明では、金物類と鉄筋が一体になった部分に、適切なスペーサー、セパレーター、サポートの機能を果たす部材が組み込まれているため、型枠組みをした後に、あらためて、これらの部材を組み込む必要はなく、その工程の削減が可能となる。
【発明の効果】
【００１２】
木造建築工事費用に占める基礎工事費用の割合は少なくない。その削減にこたえる、本発明は、木造建築市場で期待されている。さらに、ゼロエネルギーハウス、スマートハウスなど、建物の温熱環境の改善が必要になっている今日、基礎に断熱、蓄熱効果を持たせることのできる容易なしくみの出現が期待されている。本発明はこの部分に対応しており、普及しやすい。また、鋼製型枠、木製型枠のどちらにも対応できる。
【図面の簡単な説明】
【００１３】
【図１】土台不要断熱鉄筋内蔵基礎型枠支保工の説明図
【実施例】
【００１４】
全体の構成
基礎底面に断熱スペーサー４を敷き並べる。  その上に、金物類５付きのラダー鉄筋１と基礎断熱板３を固定し、さらにその両者を貫通する形で、断熱セパレーター２が固定され、全体が一体となって固まり、型枠全体の揺れを防ぐサポート役を果たす構成。
基礎断熱板３は、セパレーターによって、基礎巾の適切な位置、打設後に建物外側にコンクリート６によって保護される位置に固定される。
【００１５】
ラダー鉄筋１
はしご状、グリッド状に鉄筋が組まれている。高さは３０ｃｍ〜５０ｃｍ程度。  長さは２．２ｍ程度を基本にして調整用に短いタイプも用意する。このはしご状部分にひっかけて断熱セパレーター２、金物類５が固定できるようになっている。製造方法として、鉄筋を組む代わりに、鉄板を打ち抜いてはしご状グリッド状にすることもできる。ラダー鉄筋１どうしを布基礎の長さ方向に結合する方法は、両者を金物等で接合せず、３０〜４０ｃｍの重なりを設けて設置するだけでおこなう。
【００１６】
断熱セパレーター２
ねじ切りした断熱性のある棒。プラスティックか、プラスティックで被覆された鉄筋などでつくる。適切な位置に基礎断熱板３、断熱スペーサー４を固定できる。
【００１７】
基礎断熱板３
基礎断熱に必要な断熱性能を有する打設時に壊れない強度のある断熱材。発砲樹脂等でつくる。打設したコンクリート６が剥離しないように、材料表面が形成されている。長さは1.8ｍ程度の物を標準として数種用意する。基礎断熱板３どうしの布基礎方向へのジョイントは、隙間なく連続できるように現場で自由にカットできるような硬さになっている。
高さもカットすることによって自由になるので、型枠支保工全体の高さ調節は金物類５の高さ調節とシンクロさせておこなう。
【００１８】
断熱スペーサー４
型枠を設置する場所を固定し、同時にラダー鉄筋１、断熱セパレーター２、基礎断熱板３の固定位置を決定するサポートの役割を果たす。断熱性、防蟻性、非透水性、耐久性を有するプラスティック等で作る。一つの部品からなるとは限らず、複数の部品からなることもある。その一ユニットの長さは１．８ｍ程度を標準とし、現場でカットしてジョイントできるようになっている。
【００１９】
金物類５
アンカーボルト、ホールダウン金物、筋交金物等の金物からなる。これらは、間取りに合わせ、適切な位置に配置でき、ラダー鉄筋１にひっかけて固定、断熱スペーサー４と固定されるようになっている。
かつ、型枠支保工全体の高さ調節を、基礎断熱板３の高さ調節とシンクロさせておこなえるようになっている。
【符号の説明】
【００２０】
１  ラダー鉄筋
２  断熱セパレーター
３  基礎断熱板
４  断熱スペーサー
５  金物類
６  コンクリート
【図１】
2014136866.tif 000003